(57)【要約】保護されるべき対象物の壁面に、昆虫障壁物を取り付けることにより、昆虫が這い登ってきて蔓延ることから、樹木及び構造体を保護するシステム。障壁物は、プラスチックシート材料から形成され、保護対象の周りに巻き付けられるベルト手段からなり、ベルト手段は、対象の表面に係合する接触手段を含む。接触手段は、不織布層によって与えられる、変形可能な厚さを有し、障壁物と対象表面との間を、昆虫が通ることを阻止する。ベルト手段の自由端は、互いに固定されて、ベルト手段を木の表面に固定し、且つ、接触手段を木の表面に係合させる。ベルト手段は、昆虫に対し低摩擦係数を有する滑り面手段を有し、ベルト手段の上を昆虫が移動することを阻止し、且つ、ベルト手段を越えて保護される木及び構造体で蔓延することを阻止する。滑り面手段は、ポリテトラフルオロエチレン（ＰＴＦＥ）といったフルオロポリマーのコーティングを、ベルト手段に塗布するか、又は、ベルト手段に好適に取り付けられるか或いはベルト手段と一体に形成されることにより与えられる。
2004524009.tif 000002
【特許請求の範囲】
【請求項１】
対象物の壁面に取り付けて、昆虫障壁物の下方の位置から、昆虫障壁物の上方の位置に、昆虫がその上を移動することを阻止する昆虫障壁物であって、
或る長さと或る幅を有するベルト手段を含み、
上記ベルト手段は、上記壁面と上記昆虫障壁物との間を、昆虫が通ることを阻止するよう上記壁面に係合する接触手段を含み、
上記ベルト手段は更に、昆虫がその上を移動することを阻止する滑り面を有する、昆虫障壁物。
【請求項２】
上記壁面は、略垂直である請求項１記載の発明。
【請求項３】
上記滑り面は、昆虫に対し、低摩擦係数を有し、それにより、昆虫が、上記滑り面上を重力に逆らって移動することをできないようにする請求項２記載の発明。
【請求項４】
上記ベルト手段は、プラスチックシート材料を含み、
上記滑り面は、上記プラスチックシート材料に塗布されるフルオロ−ポリマーのコーティングを含む請求項３記載の発明。
【請求項５】
上記フルオロ−ポリマーは、ポリテトラフルオロエチレン（ＰＴＦＥ）を含む請求項４記載の発明。
【請求項６】
上記接触手段は、上記ベルト手段と上記壁面との間に、上記ベルト手段と上記壁面との間を昆虫が通ることを阻止するよう、上記壁面に係合するために変形可能な厚さを有する不織布材料の層を含む請求項３乃至５のうちいずれか一項記載の発明。
【請求項７】
上記不織布材料の層は、上記ベルト手段に接着して取り付けられる請求項６記載の発明。
【請求項８】
上記不織布材料は、プラスチック材料から形成される請求項７記載の発明。
【請求項９】
上記ベルト手段の上記幅は、上記不織布材料の層より下に延在して、上記ベルト手段の下方向延長部を形成し、
上記滑り面は、上記下方向延長部の内側及び外側の両方にあてがわれる請求項６又は８記載の発明。
【請求項１０】
上記壁面は、人工の構造体の表面である請求項１記載の発明。
【請求項１１】
上記壁面は、木の表面であり、
上記ベルト手段の上記長さは、木の周りに円周方向に巻き付けられ、
上記ベルト手段の上記木の表面への取り付けには、上記ベルト手段の上記長さの自由端を互いに固定し、それにより、上記ベルト手段を上記木の表面に固定し、且つ、上記接触手段を上記木の表面に係合させることを含む、請求項６又は９記載の発明。
【請求項１２】
上記ベルト手段の周りに円周方向に巻きつけられ、上記ベルト手段と加圧関係にある、革ひも手段によって、上記ベルト手段は上記木の表面に固定され、上記接触手段は上記木の表面に係合する、請求項１１記載の発明。
【請求項１３】
ステープル手段によって、上記ベルト手段は上記木の表面に固定され、上記接触手段は上記木の表面に係合する、請求項１１記載の発明。
【請求項１４】
請求項６又は９記載の昆虫障壁物を、木に取り付けることによって、昆虫から、木を保護する方法であって、
上記ベルト手段の上記長さを、木の周りに円周方向に巻き付ける段階と、
上記ベルト手段の上記長さの上記自由端を、木の周りで固定する段階とを含み、
それにより、上記ベルト手段を上記木の表面に固定し、上記接触手段を上記木の表面に係合させる、方法。
【請求項１５】
上記ベルト手段の周りに円周方向に巻きつけられ、上記ベルト手段と加圧関係にある、革ひも手段によって、上記ベルト手段は上記木の表面に固定され、上記接触手段は上記木の表面に係合する、請求項１４記載の方法。
【請求項１６】
ステープル手段によって、上記ベルト手段は上記木の表面に固定され、上記接触手段は上記木の表面に係合する、請求項１４記載の方法。
【請求項１７】
対象物の略垂直な壁面に取り付けて、昆虫障壁物の下方の位置から、昆虫障壁物の上方の位置に、昆虫がその上を移動することを阻止する昆虫障壁物であって、
上記壁面と上記昆虫障壁物との間を、昆虫が通ることを阻止するよう上記壁面と係合する接触手段を含むベルト手段を含み、
上記ベルト手段は、滑り面手段を有し、
上記滑り面手段は、昆虫に対し、低摩擦係数を有し、上記滑り面手段上を昆虫が重力に逆らって移動することをできないようにし、
上記ベルト手段の長さは、木の周りに円周方向に巻き付けられ、
上記ベルト手段の上記壁面への取り付けには、上記ベルト手段の上記長さの自由端を互いに固定し、それにより、上記ベルト手段を上記木の表面に固定し、上記接触手段を上記木の表面に係合させ、上記取り付けは、好適な手段によって与えられる、昆虫障壁物。
【発明の詳細な説明】
【０００１】
［発明の背景］
［発明の属する技術分野］
本発明は、昆虫が這い上がってきて蔓延（はびこ）ることから、樹木及び一部の構造体を保護するシステムと、シャクガ科の昆虫を含む昆虫の、樹木及び構造体への、接近可能性を減少するバンド製品に係る。
【０００２】
［従来技術の説明］
昆虫が蔓延ることは一般的であり、しばしば、地上から上方向の侵入が関連する。昆虫が蔓延ることによる被害は、広範に亘り、多様である。長年、北アメリカの樹木は、シャクガ科の昆虫が例として挙げられる、這い上がってくる昆虫が蔓延ることによる被害に苦しめられている。北アメリカには、約１６種のこのような昆虫が生息しており、世界では、１９種のこのような昆虫が生息している。シャクガ科の昆虫の場合、メスは飛ぶことができず、そして、季節ごとに、木の幹を這い上がり、木の上部に、卵を産み付ける。卵は、幼虫にかえり、幼虫は、寄生している木の葉を食料とする。木の葉は、幼虫に食べられることにより、深刻な被害を受け、しまいには、木全体の健康状態が影響を受け、結果として、オランダニレ病といった病気に対し、耐性が弱くなる。
【０００３】
更に、果実、及び、木材生産高の観点から、木の生産性が減少する。樹木の葉の被害は、美観を損ない、樹木の人を惹きつける魅力を減少し、樹木の影を失わせ、その結果、個々人及び一般社会に影響を与える。このような問題に対処するための努力は、何十年にも亘って行われており、最も良く知られている方法は、「タングルフット（商標）」（Ｔａｎｇｌｅｆｏｏｔ）の粘着性の障壁層を、木の幹の周りに塗布し、昆虫が、木の幹を這い上がってくることを防ぐ、或いは、阻止することである。この見栄えのしない、粘着性及び油性の物質を塗布することは、大変な労力を必要とし、効果を維持し続けるには、毎週、塗布しなければならない。塗布された樹木の健康を害することも知られており、最悪の場合、枯らしてしまうこともある。
【０００４】
以下に、本発明の特徴を、詳細な説明において説明する、又は、詳細な説明から明らかにする。
【０００５】
［発明の概要］
本発明は、シャクガ科の昆虫といった、はい上がってくる虫から、樹木、及び、他の略垂直な面を保護するシステムを提供する。
【０００６】
このシステムは、通常、昆虫が這い上がる表面に、通過阻止ベルトをあてがう段階と、必要な場合には、通過阻止ベルトに隣接する、補助的な局所的遮断障壁をあてがい、障壁の下又は障壁を越えて昆虫が這う別の通路を与えないようにする段階とを含む。通過阻止ベルトがあてがわれることによって、昆虫はその上を通らなければならなくなる。通過阻止ベルトと障壁との組合せにより、昆虫が蔓延ることから保護されるべき、木のような構造体にあてがわれる昆虫障壁物を形成する。
【０００７】
従って、シャクガ科の昆虫、及び、他の這い上がる昆虫の場合、昆虫は、自然の、卵を産み付ける、又は、食物を摂取する生息地に接近することができずに、昆虫の繁殖、及び／又は、繁殖周期が乱されることになる。樹木等を上り下りする他の昆虫の自然周期も妨害することが可能であり、それにより、「宿主」に有益な結果がもたらされる。
【０００８】
通過阻止障壁物の１つの特徴は、滑り面コーティングを設けることである。コーティングによって、昆虫は、通過阻止ベルトから滑り落ち、最終的には、木から落ちる。昆虫は、餌をとる目的で、通過阻止ベルトを再び這い上がることができないので、そのライフサイクルを効果的に妨害することができる。
【０００９】
はい上ってくる昆虫の場合、木の幹又は大枝の周り、或いは、直立構造体の表面に、通過阻止ベルトをあてがうことに追加して、木又は構造体の表面の凸凹、渦巻き、及び、裂け目に略一致する補助的な隣接障壁をあてがってもよく、それにより、シャクガ科の昆虫のメスを含む昆虫が、そのような凸凹を上方向に這い上がることを実質的に妨げて、昆虫が、隣接障壁によって高さが付けられていることが好適である通過阻止ベルトの隣接表面上を通るようにさせて、昆虫が、通過阻止ベルトから完全に落ちることを促進する。
【００１０】
通過阻止ベルトは、低摩擦のバンド、又は、滑り易い材料を有することができる。昆虫は、滑り易い材料の上を進むことができないので、地面に落ちる。テフロン（登録商標）（Ｔｅｆｌｏｎ）、又は、他のＰＴＦＥベース或いは樹脂接着された材料といった、いわゆる非粘着性材料は、非常に低い摩擦係数を有する潤滑剤として、表面に塗布され得る。シャクガ科の昆虫の場合、木上で生活することができなくなることにより、卵を産み付けるといった習慣が中断され、同時に、木から落下することによって、鳥類等に採食される可能性が高くなる。
【００１１】
通過阻止ベルトの非粘着性の実施例には、突出部を含み得る。昆虫は、上方向に進むには、この突出部を超えなければならなくなる。突出部の形状、従って、昆虫が横断する通路は、略水平の部分に向かって外側に延在するか、又は、略垂直な部分に向かって下方向に延在して、昆虫が通らなければならない表面を形成する。この突出部を、昆虫が通ることは、昆虫が逆の姿勢を採らなければならないようにし、それにより、昆虫の、通過阻止ベルトの非粘着性表面へのグリップを更に減少させ、昆虫が、ベルトからより落下し易くなる。様々な種類の材料を、遮断障壁に使用することが可能であり、接着表面を含み得る。屋外試験では、片面に接着された、繊維ガラス絶縁材を有する紙製の裏当バンドを含む、ファイバガラス（Ｆｉｂｅｒｇｌａｓ）（商標）断熱テープが、遮断障壁として用いられた。この断熱テープは、各木の周りに一巻されて固定され、紙側が外側にされ、繊維を押付ける。繊維ガラスは、不織布の１つの実施例ではあるが、例えば、プラスチックといった異なる材料から形成された他の不織布材料も、同様の効果を得るために使用してもよい。
【００１２】
略三角形の部分となる隆起した形状と、遮断障壁の周りに延在する滑らかな外表面を有するゴム状の材料からなる通過阻止ベルトは、卵を産み付けるシャクガ科の昆虫を効果的に「排除する」よう機能する。従って、非常に低いパーセンテージの昆虫しか、卵を産み付けるために木上の目的地にたどり着くことができない。
【００１３】
改善された遮断障壁は、発泡プラスチックからなる。発泡プラスチックは、木の皮の凸凹に適切に入り込み、効果的に塞ぐよう十分に柔らかい。この障壁は、低摩擦プラスチック、又は、紙の通過阻止ベルトと一緒に使用され得る。通過阻止ベルトの裏面に、発泡プラスチックが接着され得る。
【００１４】
予め製造された障壁／ベルト組合せ体の代わりに、発泡プラスチックが、現場にて、通過阻止ベルトの裏面に、１つ以上の連続的なビーズとして付けられ得る。プラスチックビーズは、発泡して膨らみ、従って、木の皮に新しく付着されるプラスチックと共に、通過阻止ベルトを木の幹の周りにしっかりと巻き付けると、プラスチックビーズが膨張することによって、発泡プラスチックが、木の皮の凸凹に入り込み、凸凹を効果的に塞ぎ、メスのシャクガ科の昆虫といった昆虫が、木の皮と通過阻止ベルトの間を通ることを、実質的にできないようにする。
【００１５】
その場合、通過阻止ベルトの低摩擦外表面は、はい上がってくるどの昆虫も木の幹から落下させるのに十分である。
【００１６】
裏当て紙に発泡プラスチックを現場で塗布する代わりに、液体の発泡プラスチックを、木の表面に直接塗布してもよい。それにより、完全に木の表面の凸凹を埋め、且つ、塞いで、巻きつけられたバンドと共に、一種のサンドウィッチ構造体を形成する。この構造体の上に、通過阻止バンドが固定され得る。そのような場合、容易に塗布することができるよう、周辺マーカー線を用いる。予め用意される遮断障壁の場合、予め形成された柔軟な障壁を補助するよう、現場で、追加の発泡体又は他の遮断材料が塗布されても良いことを理解するものとする。それによって、効果的な障壁サンドイッチ構造体が完成する。
【００１７】
通過阻止ベルトの裏面に塗布される障壁プラスチックのビーズの条件及び量は、障壁ベルトに十分に外側に出ている隆起部が設けられるよう決められ得る。この外側隆起部は、ベルトの、卵を持って膨らんだシャクガ科の昆虫といった、はい上がってくる昆虫を「排除する」可能性を高める。
【００１８】
通過阻止ベルトの裏面に固定される様々な遮蔽媒体を使用し得る更なる実施例は、少なくとも１つの突出リブを有する押出しのベルトを有する。少なくとも１つの突出リブは、昆虫がリブの端部に達することができない度合いまで十分に外側に延在し、昆虫が木の皮からリブ上をつたって歩くと、昆虫は、逆さまの、不安定な姿勢をとらざるを得ないようにされ、従って、昆虫は、表面から落下することが略不可避となる。そのようなリブを１つ以上使用してもよい。
【００１９】
より落下しにくい昆虫に使用するための、更なる組合せは、通過阻止ベルトの、外側の滑り面の一部に、上述したタングルフット（商標）に類似する、又は、上述のタングルフットから構成される粘着物質からなる周囲バンドを、通過阻止ベルトに組込んでいる。これによって、保護する木、又は、他の植物有機体から隔離した関係に置くことによって、有毒物質を使うことが可能となる。
【００２０】
本発明は、樹木及び植物に使用するのに加えて、はい上がってくる様々な生物、特に、昆虫の、構造体への接近可能性を制限するために、構造体と共に使用することも可能である。
【００２１】
本発明の障壁バンドは、通常は、保護された環境のみで使用される、殺虫剤といった物質を含む有毒物質と共に使用することを可能にする。
【００２２】
化合物保持器、及び、雨よけ屋根として機能する、突き出ている隆起部を有する障壁バンドを取り付けることによって、有毒物質が、そのような雨よけ屋根の保護下で塗布されることが可能となり、隆起部内では、有毒物質が、自然力から保護され、且つ、雨によって洗い流されることが阻止され、同時に、物質のある場所、且つ、目的の昆虫又は昆虫群に対する有効性が保持される。
【００２３】
本発明の主要な特徴によると、昆虫障壁物は、障壁物の下方の位置から、障壁物の上方の位置に、昆虫が這い上がることを阻止するために、対象物の壁面に取り付けられるよう提供される。昆虫障壁物は、或る長さと或る幅を有するベルト手段と、対象物の壁面と係合して、壁面と昆虫障壁物との間を昆虫が通ることを阻止する接触手段とを含む。ベルト手段は更に、昆虫がその上を這うことを阻止する滑り面を有する。対象物の壁面は、略垂直である。滑り面は、昆虫に対し低摩擦係数を有し、それにより、昆虫が滑り面上を重力に逆らって移動することができないようにする。ベルト手段は、プラスチックシート材料を含み、滑り面は、プラスチックシート材料に付けられるフルオロポリマーからなるコーティングを含み得る。フルオロ−ポリマーは、ポリテトラフルオロエチレン（ＰＴＦＥ）を含み得る。接触手段は、ベルト手段と壁面との間にある不織布材料の層であってよく、不織布の層は、変形可能な厚さを有し、ベルト手段と壁面との間を昆虫が通ることを阻止するよう壁面に係合し、ベルト手段に接着して取り付けられる。不織布材料は、或いは、プラスチック材料から形成されてもよい。ベルト手段の幅は、不織布材料の層より下に延在して、ベルト手段の下方向延長部を形成し得る。下方向延長部の内側及び外側には、滑り面が塗布されうる。
【００２４】
ベルト手段は、木の周りに円周方向に巻き付けられ、取り付けには、ベルト手段の長さの自由端を互いに固定し、それにより、木の表面にベルト手段を固定し、接触手段を木の表面に係合させることが含まれる。ベルト手段に円周方向に巻き付けられ、ベルト手段と加圧関係にある革ひも手段によって、ベルト手段は、木の表面に固定され、接触手段は木の表面に係合し得る。或いは、ベルト手段は、ステープル手段又は接着手段によって固定されてもよい。
【００２５】
上述したように昆虫障壁物を木に取り付け、且つ、ベルト手段を木の周りに円周方向に巻きつけ、ベルト手段の自由端を互いに固定することによって、ベルト手段を木の表面に固定し、接触手段を木の表面に係合させる、昆虫から木を保護する方法が与えられている。
【００２６】
［好適な実施の様態］
本発明の特定の実施例を、添付図面を参照しながら、例示的、且つ、特許請求の範囲に記載される以外は非制限的に、説明する。
【００２７】
図１は、木（１）の周りに取り付けられた、本発明の昆虫障壁物を示す斜視図である。昆虫障壁物は、或る長さ及び或る幅を有するベルト手段（２）を有し、ベルト手段の長さは、木の周りに円周方向に巻き付けられる。ベルト手段は、昆虫に対して、低摩擦係数を有する滑り面（３）を有し、それにより、昆虫が滑り面の上を、重力に逆らって移動することをできないようにしている。ベルト手段は、弾性のプラスチックシート材料から形成され得、滑り面は、ＰＴＦＥといったフルオロポリマーを含むコーティングを、ベルト手段に塗布することによって与えられ得る。ベルト手段は、木の表面と係合するよう、不織布といった、変形可能な厚さを有する材料の層を含む接触手段（４）を含み、それにより、障壁物と木の表面との間を、昆虫が通ることを阻止する。不織布材料は、プラスチック材料、又は、ファイバーグラス材料から形成されうる。接触手段は、ベルト手段の内面に接着され得る。
【００２８】
ベルト手段の木への取り付けには、ベルト手段の長さの自由端（図示せず）を互いに固定することが含まれ、それにより、ベルト手段を木の表面に固定させ、接触手段を木の表面に係合させる。このことは、革ひも手段（図示せず）をベルト手段の周りに円周方向に巻付けることによって、又は、ステープル或いは接着付属部品（図示せず）によって、達成され得る。
【００２９】
図２を参照するに、昆虫障壁物の１つの実施例の断面図を示す。ベルト手段（２）は、略垂直であり、木（１）の表面に係合して、昆虫障壁物と木の間を、昆虫が通ることを阻止し、昆虫にベルト手段の表面を横断することを強いる接触手段（４）を含む。ベルト手段は、その滑り面によって、障壁物から昆虫を落下させる。障壁物は、地面に対し、一段高い位置に置かれているが、障壁物は、昆虫が蔓延ることから保護したい箇所より下の木又は構造体の、どの部分に取り付けられても良い。
【００３０】
図３は、本発明の別の実施例の断面図を示す。ここでも、昆虫障壁物は、略垂直な表面を有するベルト手段（２）と、接触手段（４）を有する。この実施例では、ベルト手段の幅は、接触手段の幅より大きく、それにより、ベルト手段の下方向延長部（５）を形成する。下方向延長部は、両面に滑り面（３）を有する。昆虫は依然として、前の実施例におけるように、木（１）の表面と係合する接触手段によって、上方向の移動が阻止される。従って、昆虫は、ベルト手段の下方向延長部を、下方向に進むよう強いられる。重力によって、下方向延長部の内側の滑り面から、下方向に落とされなかった、足元のしっかりとした昆虫は、ベルト手段の最下端を横断する際に、逆の姿勢をとるよう強いられる。このことは、昆虫を不安定な位置に置き、昆虫が表面へのグリップを失い、表面から落下する可能性を増加し、それにより、昆虫が通ることを阻止するという昆虫障壁物の効率を上げる。
【００３１】
図４は、昆虫障壁物の別の実施例を示す。ここでは、滑り面（３）を有するベルト手段（２）は、木（１）の表面形状に略一致する。しかし、接触手段（４）は、別個の接触手段を必要とすることなく、木の表面に係合するようベルト手段の裏面に設けられ、それにより、昆虫が、昆虫障壁物と木の間を通ることを阻止する。接触手段は、木に接着して貼り付けられ、ベルト手段は、接触手段に接着して貼り付けられ得る。接触手段は、発泡プラスチック材料でよく、また、発泡プラスチック材料に不織布材料の層を有してもよい。
【００３２】
図５では、昆虫障壁物の実施例は、非粘着性の低摩擦プラスチックからなる外側セグメント（７）を有する、外側に出ているアーチ状の発泡体（６）を含む。ベルトの実施例（８）は、接着テープ又はステープルで固定するために、両端は互いに、寄り添って接触するような関係にある。図６のベルトの実施例を参照するに、非粘着性の外面（１０）を有する垂直平面テープ（９）は、逆の（裏の）面上に、軟プラスチックからなる１対のシールストリップ（１１）を有する。ベルトを固定することは、ベルト、又は、木にステープルで留めること、テープで留めること、或いは、接着剤で留めることが含まれ得る。木側の発泡プラスチックは、剥離可能なスリップコーティングされた紙製保護材によって保護される接触接着剤を有し得る。補助の発泡剤が、現場において塗布される場合、２つのシールストリップ（１１）は、補助の発泡塗布剤を受容し、且つ、保持するレザーバの壁として作用する。
【００３３】
樹木用の昆虫障壁物の形成、及び、製造には、本発明の特許請求の範囲にある、多くの変形が採用され得る。
【００３４】
樹木、及び、垂直構造体の部品に使用する場合、且つ、はい上がってくる昆虫の１つのクラスに使用する場合に関して、特に開示しているが、本発明は、様々な外観及び状況において、様々な殺虫剤と共に、広範囲の生き物に対し、使用可能であることは明らかである。
【図面の簡単な説明】
【図１】
木の周りに円周方向に取り付けられた、本発明の昆虫障壁物を示す斜視図である。
【図２】
図１に示す昆虫障壁物の１つの実施例を示す断面図である。
【図３】
昆虫障壁物の別の実施例を示す断面図である。
【図４】
昆虫障壁物の更なる実施例である。
【図５】
更なる実施例を示す断面図である。
【図６】
ベルト手段の表面が凸状に曲げられた、更に別の実施例を示す断面図である。
【国際公開パンフレット】
2004524009.tif 000003
2004524009.tif 000004
2004524009.tif 000005
2004524009.tif 000006
2004524009.tif 000007
2004524009.tif 000008
2004524009.tif 000009
2004524009.tif 000010
2004524009.tif 000011
2004524009.tif 000012
2004524009.tif 000013
2004524009.tif 000014
2004524009.tif 000015
2004524009.tif 000016
2004524009.tif 000017
【国際公開パンフレット（コレクトバージョン）】
2004524009.tif 000018
【国際調査報告】
2004524009.tif 000019
2004524009.tif 000020